(57)【要約】      （修正有）【課題】簡素な構成部材で複数のバッテリセルを信頼性を損ねることなく一体に保持することが可能なバッテリモジュールを提供すること。【解決手段】高さおよび幅で規定される第１、第２の面、高さおよび厚さで規定される第３、第４の面、ならびに幅および厚さで規定される第５、第６の面のうちの第３、第５の面のそれぞれがほぼ同一平面内に位置するようにかつ厚さの方向に互いに離間するように設けられた複数のバッテリセル１１〜２０と、第３の面と第５の面との間の稜辺、第５の面と第４の面との間の稜辺、第４の面と第６の面との間の稜辺、および第６の面と第３の面との間の稜辺を覆うように上記複数のバッテリセルに突き当てられた第１ないし第４の剛性部材２１、２６と、第１ないし第４の剛性部材を、最外の第１、第２の面の側から支持する第５、第６の剛性部材２７、２８とを具備する。【選択図】図１
2010086887.tif 000002
【特許請求の範囲】
【請求項１】
それぞれがほぼ同一寸法の高さ、幅、および厚さを有する直方体状の形状を備え、前記高さおよび前記幅で規定される第１、第２の面、前記高さおよび前記厚さで規定される第３、第４の面、ならびに前記幅および前記厚さで規定される第５、第６の面のうちの前記第３の面のそれぞれがほぼ同一平面内に位置するようにかつ前記第５の面のそれぞれがほぼ同一平面内に位置するようにかつ前記厚さの方向に互いに離間するように設けられた複数のバッテリセルと、
前記複数のバッテリセルそれぞれの前記第３の面と前記第５の面との間の稜辺を前記複数のバッテリセルについて仮想的に延長しつないだ線を第１の仮想稜線として、該第１の仮想稜線を覆うように前記複数のバッテリセルに突き当てられた第１の剛性部材と、
前記複数のバッテリセルそれぞれの前記第５の面と前記第４の面との間の稜辺を前記複数のバッテリセルについて仮想的に延長しつないだ線を第２の仮想稜線として、該第２の仮想稜線を覆うように前記複数のバッテリセルに突き当てられた第２の剛性部材と、
前記複数のバッテリセルそれぞれの前記第４の面と前記第６の面との間の稜辺を前記複数のバッテリセルについて仮想的に延長しつないだ線を第３の仮想稜線として、該第３の仮想稜線を覆うように前記複数のバッテリセルに突き当てられた第３の剛性部材と、
前記複数のバッテリセルそれぞれの前記第６の面と前記第３の面との間の稜辺を前記複数のバッテリセルについて仮想的に延長しつないだ線を第４の仮想稜線として、該第４の仮想稜線を覆うように前記複数のバッテリセルに突き当てられた第４の剛性部材と、
前記第１ないし前記第４の剛性部材を、前記複数のバッテリセルの最外の前記第１の面の側から支持する第５の剛性部材と、
前記第１ないし前記第４の剛性部材を、前記複数のバッテリセルの最外の前記第２の面の側から支持する第６の剛性部材と
を具備することを特徴とするバッテリモジュール。
【請求項２】
前記第１ないし前記第４の剛性部材からそれぞれ突起して設けられた、前記複数のバッテリセルを互いに離間させるべく位置する第１ないし第４のスペース部材をさらに具備することを特徴とする請求項１記載のバッテリモジュール。
【請求項３】
前記第１ないし前記第４の剛性部材が、前記複数のバッテリセルに接触する部位において樹脂またはゴムを有することを特徴とする請求項１記載のバッテリモジュール。
【請求項４】
前記第１ないし前記第４の剛性部材からそれぞれ突起して設けられた、前記複数のバッテリセルを互いに離間させるべく位置する第１ないし第４のスペース部材をさらに具備し、
前記第１ないし前記第４の剛性部材が、前記複数のバッテリセルに接触する部位において樹脂またはゴムを有し、
前記第１ないし前記第４のスペース部材が、前記第１ないし前記第４の剛性部材の前記樹脂または前記ゴムの部位から延長して設けられた部位であること
を特徴とする請求項１記載のバッテリモジュール。
【請求項５】
前記複数のバッテリセルが、それぞれ、直方体状の前記形状を画定する外装部材を有し、
前記第１ないし前記第４の剛性部材が、その材質として、前記複数のバッテリセルの前記外装部材と同一材質であること
を特徴とする請求項１記載のバッテリモジュール。
【請求項６】
前記第５の剛性部材が、第１ないし第４のねじそれぞれで前記第１ないし前記第４の剛性部材を結合することにより該第１ないし該第４の剛性部材を支持し、
前記第６の剛性部材が、第５ないし第８のねじそれぞれで前記第１ないし前記第４の剛性部材を結合することにより該第１ないし該第４の剛性部材を支持し、
前記第１ないし前記第４のねじの締めが増されるほどに前記第１ないし前記第４の剛性部材が前記複数のバッテリセルの側へ変位するように、前記第５の剛性部材および／または前記第１ないし前記第４の剛性部材の形状が構成されており、
前記第５ないし前記第８のねじの締めが増されるほどに前記第１ないし前記第４の剛性部材が前記複数のバッテリセルの側へ変位するように、前記第６の剛性部材および／または前記第１ないし前記第４の剛性部材の形状が構成されていること
を特徴とする請求項１記載のバッテリモジュール。
【請求項７】
前記複数のバッテリセルと同じ要件を有し、かつ、前記複数のバッテリセルそれぞれの前記第４の面に対向して前記第３の面それぞれが対向して位置するもう一組の複数のバッテリセルと、
前記もう一組の複数のバッテリセルそれぞれの前記第５の面と前記第４の面との間の稜辺を前記もう一組の複数のバッテリセルについて仮想的に延長しつないだ線を別の第２の仮想稜線として、該別の第２の仮想稜線を覆うように前記もう一組の複数のバッテリセルに突き当てられた第７の剛性部材と、
前記もう一組の複数のバッテリセルそれぞれの前記第４の面と前記第６の面との間の稜辺を前記もう一組の複数のバッテリセルについて仮想的に延長しつないだ線を別の第３の仮想稜線として、該別の第３の仮想稜線を覆うように前記もう一組の複数のバッテリセルに突き当てられた第８の剛性部材と、をさらに具備し、
前記第２の剛性部材が、前記もう一組の複数のバッテリセルそれぞれの前記第３の面と前記第５の面との間の稜辺を前記もう一組の複数のバッテリセルについて仮想的に延長しつないだ線を別の第１の仮想稜線として、該別の第１の仮想稜線を覆うように前記もう一組の複数のバッテリセルに突き当てられた剛性部材でもあり、
前記第３の剛性部材が、前記もう一組の複数のバッテリセルそれぞれの前記第６の面と前記第３の面との間の稜辺を前記もう一組の複数のバッテリセルについて仮想的に延長しつないだ線を別の第４の仮想稜線として、該別の第４の仮想稜線を覆うように前記もう一組の複数のバッテリセルに突き当てられた剛性部材でもあり、
前記第５の剛性部材が、さらに、前記第７および前記第８の剛性部材を前記もう一組のバッテリセルの最外の前記第１の面の側から支持し、
前記第６の剛性部材が、さらに、前記第７および前記第８の剛性部材を前記もう一組のバッテリセルの最外の前記第２の面の側から支持すること
を特徴とする請求項１記載のバッテリモジュール。
【発明の詳細な説明】
【技術分野】
【０００１】
本発明は、複数のバッテリセルを有するバッテリモジュールに係り、特に、複数のバッテリセルを剛性部材で集合、固定し一体化構成としたバッテリモジュールに関する。
【背景技術】
【０００２】
ＨＥＶ（hybrid electric vehicle）、ＥＶ（electric vehicle）などの車両で使われるバッテリ装置は、比較的高出力でかつ頻繁な出力変化に対応する必要がある。一般的に、必要な出力や容量に応じてバッテリセルを複数個電気的に接続しかつ機械的にも一体化されたひとつのバッテリモジュールとして構成されている。バッテリモジュールの各バッテリセルは、放熱性を考慮して、例えば、それらの間に適度の空間が生じるような配置にされている。
【０００３】
複数のバッテリセルを機械的に一体に保持しかつそれら間に空間が生じるような配置にするための部材については、次のような一般的に望まれる条件がある。まず、その部材自体が小型、軽量、簡素な構成であり、さらに各バッテリセルの放熱性を妨げないことが好ましい。これらに加えて、各バッテリセルが経時的に変形する場合もあることに注意が必要である。すなわち、使用時に経時的に内部のガス圧力が変化し外装缶に変形をもたらす。このような変形に対しても一体に保持された状態を信頼性を損ねることなく維持することが必要になる。
【０００４】
なお、上記用途のバッテリモジュールの例として、下記特許文献１、２に開示のものがある。これらの開示では、複数のバッテリセルを機械的に一体に保持する部材の構成について、本願で開示するような事項は、特に言及されていない。
【特許文献１】特許第３０１４２９３号明細書
【特許文献２】特許第３３５０１８９号明細書
【発明の開示】
【発明が解決しようとする課題】
【０００５】
本発明は、上記した事情を考慮してなされたもので、複数のバッテリセルを有するバッテリモジュールにおいて、簡素な構成部材で複数のバッテリセルを信頼性を損ねることなく一体に保持することが可能なバッテリモジュールを提供することを目的とする。
【課題を解決するための手段】
【０００６】
上記の課題を解決するため、本発明に係るバッテリモジュールは、それぞれがほぼ同一寸法の高さ、幅、および厚さを有する直方体状の形状を備え、前記高さおよび前記幅で規定される第１、第２の面、前記高さおよび前記厚さで規定される第３、第４の面、ならびに前記幅および前記厚さで規定される第５、第６の面のうちの前記第３の面のそれぞれがほぼ同一平面内に位置するようにかつ前記第５の面のそれぞれがほぼ同一平面内に位置するようにかつ前記厚さの方向に互いに離間するように設けられた複数のバッテリセルと、前記複数のバッテリセルそれぞれの前記第３の面と前記第５の面との間の稜辺を前記複数のバッテリセルについて仮想的に延長しつないだ線を第１の仮想稜線として、該第１の仮想稜線を覆うように前記複数のバッテリセルに突き当てられた第１の剛性部材と、前記複数のバッテリセルそれぞれの前記第５の面と前記第４の面との間の稜辺を前記複数のバッテリセルについて仮想的に延長しつないだ線を第２の仮想稜線として、該第２の仮想稜線を覆うように前記複数のバッテリセルに突き当てられた第２の剛性部材と、前記複数のバッテリセルそれぞれの前記第４の面と前記第６の面との間の稜辺を前記複数のバッテリセルについて仮想的に延長しつないだ線を第３の仮想稜線として、該第３の仮想稜線を覆うように前記複数のバッテリセルに突き当てられた第３の剛性部材と、前記複数のバッテリセルそれぞれの前記第６の面と前記第３の面との間の稜辺を前記複数のバッテリセルについて仮想的に延長しつないだ線を第４の仮想稜線として、該第４の仮想稜線を覆うように前記複数のバッテリセルに突き当てられた第４の剛性部材と、前記第１ないし前記第４の剛性部材を、前記複数のバッテリセルの最外の前記第１の面の側から支持する第５の剛性部材と、前記第１ないし前記第４の剛性部材を、前記複数のバッテリセルの最外の前記第２の面の側から支持する第６の剛性部材とを具備することを特徴とする
【０００７】
すなわち、このバッテリモジュールでは、複数のバッテリセルが、第１ないし第４の剛性部材と、これら第１ないし第４の剛性部材を支持する第５、第６の剛性部材とを介して集合、一体化されている。ここで、複数のバッテリセルは、その厚み方向に離間して重なるようにかつその高さおよび幅の方向が揃うように配置されている。そして、各バッテリセルの厚さと高さまたは幅とで規定される面どうしの間の稜辺を複数のバッテリセルについて仮想的に延長してつないで得られる線を仮想稜線として、この仮想稜線を覆うように、第１ないし第４の剛性部材が複数のバッテリセルに突き当てられている。したがって、これらの剛性部材とバッテリセルとの接触部位は小面積であり、かつバッテリセルとしての変形が最も小さい部位での接触となる。よって、簡素な構成部材で複数のバッテリセルを信頼性を損ねることなく一体に保持することができる。
【発明の効果】
【０００８】
本発明によれば、複数のバッテリセルを有するバッテリモジュールにおいて、簡素な構成部材で複数のバッテリセルを確実に信頼性を損ねることなく一体に保持することが可能なバッテリモジュールを提供することができる。
【発明を実施するための最良の形態】
【０００９】
本発明の実施態様として、前記第１ないし前記第４の剛性部材からそれぞれ突起して設けられた、前記複数のバッテリセルを互いに離間させるべく位置する第１ないし第４のスペース部材をさらに具備する、とすることができる。これによれば、放熱や各バッテリセルの変形を考慮して複数のバッテリセル間が互いに離間されている状態を、これらのスペース部材で容易に一定に保つことができる。すなわち、複数のバッテリセルと第１ないし第４の剛性部材とを例えば接着剤で接着して固定しそれらの位置関係を保つような構成にする必要がない。
【００１０】
また、実施態様として、前記第１ないし前記第４の剛性部材が、前記複数のバッテリセルに接触する部位において樹脂またはゴムを有する、とすることができる。これによれば、第１ないし第４の剛性部材が導電性部材である場合であっても、第１ないし第４の剛性部材を介しての各バッテリセル間の意図しない電気的な導通を回避できる。また、樹脂またはゴムの部位が、機械的な振動に対する緩衝材となる効果もありバッテリセルを衝撃などから保護することができる。さらに、この樹脂またはゴムの部位を熱伝導性の高い材料として構成すれば、バッテリセルから第１ないし第４の剛性部材への放熱の妨げにはならない。なお、樹脂またはゴムの部位は、第１ないし第４の剛性部材の一部としてこれらに接着剤で接着されていてもよい。
【００１１】
また、実施態様として、前記第１ないし前記第４のスペース部材が、前記第１ないし前記第４の剛性部材の前記樹脂または前記ゴムの部位から延長して設けられた部位である、とすることができる。これによっても、複数のバッテリセル間が互いに離間された状態をこれらのスペース部材で容易に保つことができる。
【００１２】
また、実施態様として、前記複数のバッテリセルが、それぞれ、直方体状の前記形状を画定する外装部材を有し、前記第１ないし前記第４の剛性部材が、その材質として、前記複数のバッテリセルの前記外装部材と同一材質である、とすることができる。これによれば、各バッテリセルの外装部材と第１ないし第４の剛性部材とで、熱による膨張率が同じになり、これら間で発生する熱応力をより小さくできる。よって信頼性の維持にさらに寄与できる。
【００１３】
また、実施態様として、前記第５の剛性部材が、第１ないし第４のねじそれぞれで前記第１ないし前記第４の剛性部材を結合することにより該第１ないし該第４の剛性部材を支持し、前記第６の剛性部材が、第５ないし第８のねじそれぞれで前記第１ないし前記第４の剛性部材を結合することにより該第１ないし該第４の剛性部材を支持し、前記第１ないし前記第４のねじの締めが増されるほどに前記第１ないし前記第４の剛性部材が前記複数のバッテリセルの側へ変位するように、前記第５の剛性部材および／または前記第１ないし前記第４の剛性部材の形状が構成されており、前記第５ないし前記第８のねじの締めが増されるほどに前記第１ないし前記第４の剛性部材が前記複数のバッテリセルの側へ変位するように、前記第６の剛性部材および／または前記第１ないし前記第４の剛性部材の形状が構成されている、とすることができる。
【００１４】
これによれば、第１ないし第４の剛性部材および第５、第６の剛性部材をねじで組み付けるだけで、第１ないし第４の剛性部材により各バッテリセルの方向に押し付ける力が生じ各バッテリセルを確実に固定することができる。構成部材の簡素化にさらに寄与できる。
【００１５】
また、実施態様として、前記複数のバッテリセルと同じ要件を有し、かつ、前記複数のバッテリセルそれぞれの前記第４の面に対向して前記第３の面それぞれが対向して位置するもう一組の複数のバッテリセルと、前記もう一組の複数のバッテリセルそれぞれの前記第５の面と前記第４の面との間の稜辺を前記もう一組の複数のバッテリセルについて仮想的に延長しつないだ線を別の第２の仮想稜線として、該別の第２の仮想稜線を覆うように前記もう一組の複数のバッテリセルに突き当てられた第７の剛性部材と、前記もう一組の複数のバッテリセルそれぞれの前記第４の面と前記第６の面との間の稜辺を前記もう一組の複数のバッテリセルについて仮想的に延長しつないだ線を別の第３の仮想稜線として、該別の第３の仮想稜線を覆うように前記もう一組の複数のバッテリセルに突き当てられた第８の剛性部材と、をさらに具備し、前記第２の剛性部材が、前記もう一組の複数のバッテリセルそれぞれの前記第３の面と前記第５の面との間の稜辺を前記もう一組の複数のバッテリセルについて仮想的に延長しつないだ線を別の第１の仮想稜線として、該別の第１の仮想稜線を覆うように前記もう一組の複数のバッテリセルに突き当てられた剛性部材でもあり、前記第３の剛性部材が、前記もう一組の複数のバッテリセルそれぞれの前記第６の面と前記第３の面との間の稜辺を前記もう一組の複数のバッテリセルについて仮想的に延長しつないだ線を別の第４の仮想稜線として、該別の第４の仮想稜線を覆うように前記もう一組の複数のバッテリセルに突き当てられた剛性部材でもあり、前記第５の剛性部材が、さらに、前記第７および前記第８の剛性部材を前記もう一組のバッテリセルの最外の前記第１の面の側から支持し、前記第６の剛性部材が、さらに、前記第７および前記第８の剛性部材を前記もう一組のバッテリセルの最外の前記第２の面の側から支持する、とすることができる。
【００１６】
この態様は、複数のバッテリセルに対してその幅方向にもう一組の複数のバッテリセルを配置させた場合の構成例である。バッテリセルの総数を増やす場合の有力な配置策である。
【００１７】
以上を踏まえ、以下では本発明の実施形態を図面を参照しながら説明する。図１は、本発明の一実施形態に係るバッテリモジュールの構成を示す、一部分解斜視部分を含む斜視図である。同図に示すように、このバッテリモジュールは、バッテリセル１１〜２０、アングル材２１〜２６（第１ないし第４、および第７、第８の剛性部材）、端板２７（第５の剛性部材）、同２８（第６の剛性部材）、ねじ３１〜３６を有する。なお、ねじ３１〜３６に相当して端板２８の側にもねじが６本配されている。以下、ねじ３１〜３６に言及するときには端板２８の側のねじも含んで説明している場合がある。
【００１８】
バッテリセル１１〜２０は、それぞれ同一の大きさのほぼ直方体の形状で、この直方体は高さ（例えば９０ｍｍ）および幅（例えば６０ｍｍ）で規定される面がもっとも広く、次いで高さおよび厚さ（例えば１３ｍｍ）で規定される面、幅および厚さで規定される面の順に狭い面になっている。図示するように、これらの配置は、バッテリセル１１〜１５で厚さ方向に互いに離間して重なり、同様にバッテリセル１６〜２０で厚さ方向に互いに離間して重なっている（離間距離は例えば２ｍｍから３ｍｍ）。
【００１９】
バッテリセル１１〜１５、またはバッテリセル１６〜２０で、バッテリセルそれぞれの厚さを要素に含む４つの面は、この４つの面がそれぞれひとつの平面に収まるように揃えられている。また、バッテリセル１１〜１５とバッテリセル１６〜２０とは、高さおよび厚さで規定される面どうしが過不足なく対向するように（すなわち、換言すると、幅および厚さで規定される面が同一の平面に収まるように）並んで配置されている。
【００２０】
バッテリセル１１〜１５、バッテリセル１６〜２０のこれらの配置を維持し全体として一体に保持するため、アングル材２１〜２６、端板２７、２８、ねじ３１〜３６を有している。詳細は後述する。
【００２１】
バッテリセル１１〜２０は、それぞれ、例えばリチウムイオン電池やニッケル水素電池などの２次電池である。図示するように、これらのバッテリセル１１〜２０の両極端子は、幅および厚さで規定される面に配置されており、バッテリモジュールとしての全体が電気的に直列接続になるようにこれらの両極端子が接続バーで接続されている。バッテリセル１１〜２０の外装は、例えば、アルミニウムなどの外装部材からなっている。バッテリモジュールとしてのバッテリセルの数は、必要とされる出力電圧や容量により変えることができる。その場合のバッテリセルの配置は、より少ない個数では厚さ方向に一列に重なる配置、より多い個数ではこの列を幅方向に増加して３列以上とするなどがあり得る。
【００２２】
アングル材２１〜２６は、それぞれ、バッテリセル１１〜２０それぞれの厚さを要素に含む面どうしが構成する稜辺を、厚さ方向に配された複数のバッテリセルについて一直線に覆うように、バッテリセル１１〜２０に突き当てられて配置されている。このような配置は、必要な剛性部材として配置の効率がよく、アングル材２１〜２６全体の体積を考えて軽量である。バッテリセル１１〜２０を確実に一体に保持することができる一方、各バッテリセル１１〜２０が経時的に内部ガス圧の変化で変形した場合にも、変形の非常に小さい部位を保持しており、一体に保持している状態に与える悪影響も小さい。
【００２３】
なお、アングル材２１、２３、２４、２６は、バッテリセル１１〜１５またはバッテリセル１６〜２０のひとつに延長する稜辺を覆うように突き当てられるため横断面がＬ字であり、アングル材２２、２５は、バッテリセル１１〜１５のひとつに延長する稜辺およびバッテリセル１６〜２０のひとつに延長する稜辺を同時に覆うように突き当てられるため横断面がＴ字である。
【００２４】
アングル材２１〜２６の端部は、バッテリセル１１、２０の側では端板２７にねじ３１〜３６で固定され、バッテリセル１５、１６の側では端板２８に同様にねじで固定されている。アングル材２１〜２６と端板２７、２８とは、さらに、これらのねじの締めが増されるほどにアングル材２１〜２６がバッテリセル１１〜２０の側に変位するように形状が設定されている。詳しくは後述する。このような変位によりバッテリセル１１〜２０のより確実な一体保持が実現する。
【００２５】
アングル材２１〜２６の材質は、バッテリセル１１〜２０の外装部材と同一の材料とすると、熱応力の低減という意味で効果的である。すなわち、これらが同じ材料であれば、熱によりバッテリセル１１〜２０の外装部材が膨張した場合には、これと同程度にアングル材２１〜２６も膨張するため、応力の発生は非常に少ない。よって、繰り返される熱応力により疲労が蓄積することも効果的に回避でき、バッテリモジュールとして信頼性の向上につながる。
【００２６】
次に、図２は、図１の斜視図とは別の角度から見た、図１に示したバッテリモジュールの構成を示す、一部分解斜視部分を含む斜視図である。図２において、図１中に示した構成要素と同一のものには同一の符号を付してある。図２においては、各バッテリセル１１〜２０をそれらの厚さ方向に所定に離間するための構成、および各バッテリセル１１〜２０を機械的振動などから緩衝するための構成を中心に説明する。
【００２７】
各バッテリセル１１〜２０をそれらの厚さ方向に所定に離間するための構成としては、図２中に示されたアングル材２３に示すように、アングル材２３にこれから突起してスペース部材としての突起部２３ｂが設けられる。なお、このような突起部の存在はほかのアングル材についても同様であり、以下代表してアングル材２３において説明を行う。
【００２８】
突起部２３ｂは、複数のバッテリセル１６〜２０の各厚さ方向の間に挟まれるように設けられる。突起部２３ｂを設けることで、複数のバッテリセル１６〜２０を所定距離で離間させ配置することが容易に実現する。よって、放熱や各バッテリセルの変形を考慮してバッテリセル間が互いに離間されている状態が保たれる。なお、突起部２３ｂを設けずに、例えば、バッテリセル１６〜２０とアングル材２３とが突き当たる部位において接着剤を用い互いの位置を所定に固定することも、可能ではある。この場合組み立ての効率や作業性は多少犠牲になる。
【００２９】
各バッテリセル１１〜２０を機械的振動などから緩衝するための構成としては、図２中に示されたアングル材２３に示すように、アングル材２３のバッテリセル１６〜２０に突き当たる部位に緩衝部材２３ａが設けられる。なお、このような緩衝部材２３ａの存在はほかのアングル材についても同様であり、以下代表してアングル材２３において説明を行う。
【００３０】
緩衝部材２３ａは、例えば、樹脂またはゴムなどの素材で構成することができる。緩衝部材２３ａを設けることで、各剛性部材２１〜２８で構成される枠体と各バッテリセル１１〜２０とは緩衝性部材を介した結合になり、この枠体に衝撃が加わってもバッテリセル１１〜２０に対しては衝撃が和らげられる。なお、緩衝部材２３ａは、突起部２３ｂをその構成の延長として含めるようにすることもできる。これによれば、より向上した緩衝作用を得ることができる。
【００３１】
また、各アングル材２１〜２６が導電性の素材である場合には、上記素材の緩衝部材を設け、この緩衝部材に突起部２３ｂをその構成の延長として含めるようにすれば、各バッテリセル１１〜２０間での意図しない電気的な導通を回避することができる。また、緩衝部材２３ａは、その材料として熱伝導性の高い材質のものを用いれば、各バッテリセル１１〜２０からアングル材２１〜２６への放熱の妨げになることを防止できる。樹脂やゴムのような素材の緩衝部材２３ａの熱伝導性を上げるには、例えば、これらの材料中に熱伝導性のよい材料のフィラー（微粉末）を分散させておくことが考えられる。
【００３２】
なお、緩衝部材２３ａは、バッテリセル１６〜２０の側またはアングル材２３の側にあらかじめ例えば接着剤で接着しておくことができる。これにより、多少組み立ての効率や作業性を改善できる。
【００３３】
次に、図３は、図１、図２中に示したアングル材２１と端板２７とのねじ３１による結合部分の構成を示す一部断面図である。図３において、すでに説明した図中に示した構成要素には同一符号を付してある。この図３では、ねじ３１の締めが増されるほどにアングル材２１をバッテリセル１１〜２０の側に変位させるための構成を説明する。このような変位が生じることで、アングル材２１〜２６によるバッテリセル１１〜２０のさらなる確実な一体保持が実現する。なお、ねじ３１とは別のねじの付近の構成や効果も以下の説明と同様である。
【００３４】
図３（ａ）は、ねじ３１がアングル材２１に設けられためねじ２１ｃに螺合し始めた直後を示している。なお、符号２１ｂは、すでに説明した突起部２３ｂと同様のものである。アングル材２１は、その図示上側の面が一部斜面になっており、端板２７は、ねじ３１を締めるほどにこの斜面に乗り上げていくように構成された起立部を有している。ねじ３１は、端板２７に設けられた貫通穴２７ｃを介してアングル材２１のめねじ２１ｃに螺合される。貫通穴２７ｃには、ねじ３１が図示下側に移動可能なようにねじ３１に対して遊びがある。
【００３５】
図３（ａ）に示す状態からねじ３１を締めていくと、図３（ｂ）に示すように、端板２７の起立部がアングル材２１の斜面に乗り上げる結果、ねじ３１の位置が貫通穴２７ｃの下側に移動し、これによりアングル材２１も図示下側に移動する。すなわち、ねじ３１の締めが増されるほどにアングル材２１をバッテリセル１１の側に変位させることができる。よって、アングル材と端板とをねじで結合、組み立てるだけで各バッテリセルを確実に固定することができる。なお、説明の簡単化のため、図３では、図示上下方向について説明しているが、紙面垂直方向についても同様である。
【００３６】
図４は、図３に示したものとは異なる、図１、図２中に示したアングル材と端板とのねじによる結合部分の構成を示す一部断面図である。この図４に示す構成は、効果として上記図３での説明と同じである。違いは、斜面をアングル材２１Ａの側ではなく端板２７Ａの起立部の側に設けるようにした点である。図４（ａ）、（ｂ）の各状態は、それぞれ図３（ａ）、（ｂ）に相当している。図４（ａ）、（ｂ）に示すように、この場合にも、ねじ３１の締めが増されるほどにアングル材２１Ａをバッテリセル１１の側に変位させることができる。
【００３７】
さらに図５は、図３、図４に示したものとは異なる、図１、図２中に示したアングル材と端板とのねじによる結合部分の構成を示す一部断面図である。この図５に示す構成も、効果として上記図３、図４での説明と同じである。違いは、斜面をアングル材２１の側および端板２７Ａの起立部の側の両者に設けるようにした点である。図５（ａ）、（ｂ）の各状態は、それぞれ図３（ａ）、（ｂ）に対応している。図５（ａ）、（ｂ）に示すように、この場合にも、ねじ３１の締めが増されるほどにアングル材２１をバッテリセル１１の側に変位させることができる。
【図面の簡単な説明】
【００３８】
【図１】本発明の一実施形態に係るバッテリモジュールの構成を示す、一部分解斜視部分を含む斜視図。
【図２】図１の斜視図とは別の角度から見た、図１に示したバッテリモジュールの構成を示す、一部分解斜視部分を含む斜視図。
【図３】図１、図２中に示したアングル材２１と端板２７とのねじ３１による結合部分の構成を示す一部断面図。
【図４】図３に示したものとは異なる、図１、図２中に示したアングル材と端板とのねじによる結合部分の構成を示す一部断面図。
【図５】図３、図４に示したものとは異なる、図１、図２中に示したアングル材と端板とのねじによる結合部分の構成を示す一部断面図。
【符号の説明】
【００３９】
１１，１２，１３，１４，１５，１６，１７，１８，１９，２０…バッテリセル、２１，２１Ａ…アングル材（断面Ｌ字；第１の剛性部材）、２１ｂ…突起部（スペース部材）、２１ｃ…めねじ、２２…アングル材（断面Ｔ字；第２の剛性部材）、２３…アングル材（断面Ｌ字；第７の剛性部材）、２３ａ…緩衝部材、２３ｂ…突起部（スペース部材）、２４…アングル材（断面Ｌ字；第８の剛性部材）、２５…アングル材（断面Ｔ字；第３の剛性部材）、２６…アングル材（断面Ｌ字；第４の剛性部材）、２７，２７Ａ…端板（第５の剛性部材）、２７ｃ…貫通穴、２８…端板（第６の剛性部材）、３１，３２，３３，３４，３５，３６…ねじ。
【図１】
2010086887.tif 000003
【図２】
2010086887.tif 000004
【図３】
2010086887.tif 000005
【図４】
2010086887.tif 000006
【図５】
2010086887.tif 000007